(57)【要約】【課題】前固定台（１３）の後部に逆流防止装置（１２）を固定せずに、回転筒（１）の中に設けた逆流防止装置（１２）を提供する。【解決手段】  回転筒（１）の内部へ逆流防止装置（１２）を合体させ、回転筒と同じ様に回転する逆流防止装置を特徴とし、つぎのような構造にする。  横置き円筒状の回転筒（１）の中心に截頭円錐筒（２）を設け、截頭円錐筒（２）の前部に円錐大径（３）、後部に円錐小径（４）を設け、円錐大径（３）と回転筒（１）の間に前円板（５）を設け、円錐大径（３）を開口にし、円錐小径（４）を防止壁（６）で閉鎖し、截頭円錐筒（２）の前後の長さと回転筒（１）の間に複数の螺旋状羽根（７）を設け、截頭円錐筒（２）の前部に複数の前部切欠穴（８）を設ける。【選択図】図２
2006103964.tif 000002
【特許請求の範囲】
【請求項１】
横置き円筒状の回転筒（１）の中心に截頭円錐筒（２）を設け、
截頭円錐筒（２）の前部に円錐大径（３）、後部に円錐小径（４）を設け、
円錐大径（３）と回転筒（１）の間に前円板（５）を設け、
円錐大径（３）を開口にし、円錐小径（４）を防止壁（６）で閉鎖し、
截頭円錐筒（２）の前後の長さと回転筒（１）の間に複数の螺旋状羽根（７）を設け、
截頭円錐筒（２）の前部に複数の前部切欠穴（８）を設けたことを特徴とする回転筒ゴミ貯留機。
【発明の詳細な説明】
【技術分野】
【０００１】  本発明は、逆流防止装置に関する回転筒ゴミ貯留機に関するものである。
【背景技術】
【０００２】  図１は従来の回転筒ゴミ貯留機（５１）の右側面図を示す。
従来、ドラム型の回転筒ゴミ貯留機（５１）の逆流防止装置（５２）は公知である。
回転筒ゴミ貯留機の回転筒（５３）の内部に螺旋状羽根（５４）が設ける。ゴミ袋を内部へ投入すると、回転筒（５３）の回転によって螺旋状羽根（５４）がゴミ袋を移送し、回転筒（５３）の後部へゴミ袋を貯留し蓄積する。
ゴミ袋の量が増大すると、逆にゴミ袋は回転筒（５３）の前部へ押され逆流する。回転筒（５３）の前部からゴミ袋が溢れ出るので、逆流防止装置（５２）を設けている。
【発明の開示】
【発明が解決しようとする課題】
【０００３】  従来の逆流防止装置（５２）については、次のような問題点があった。
従来の回転筒ゴミ貯留機（５１）について、回転筒（５３）の前面に固定台（５５）を設け、固定台（５５）の後部に逆流防止装置（５２）を固定し、同時に回転筒（５３）の中に逆流防止装置（５２）を挿入する。
しかし、回転筒の中にゴミ袋を投入すると、ゴミ袋が破れ、騒音を生じ臭気が発生する。
ゴミ袋を破袋しなければ騒音も臭気も洩れないので、ゴミ袋を破らないことが問題点になっている。
本発明は、これらの問題点を解決するためになされたものである。
【課題を解決するための手段】
【０００４】  逆流防止装置の回転構造の中に固定構造を設けているのが破袋の問題になっている。
回転筒の中にゴミ袋を投入すると、回転構造の螺旋状羽根が動いてゴミ袋を移動させ、固定した逆流防止装置と接触して干渉し、ゴミ袋を破砕する。
したがって、回転筒と逆流防止装置を合体させて、ひとつの回転体にする。
すなわち；
横置き円筒状の回転筒（１）の中心に截頭円錐筒（２）を設ける。
截頭円錐筒（２）の前部に円錐大径（３）、後部に円錐小径（４）を設ける
円錐大径（３）と回転筒（１）の間に前円板（５）を設ける
円錐大径（３）を開口にし、円錐小径（４）を防止壁（６）で閉鎖する
截頭円錐筒（２）の前後の長さと回転筒（１）の間に複数の螺旋状羽根（７）を設ける。
截頭円錐筒（２）の前部に複数の前部切欠穴（８）を設ける。
【発明の効果】
【０００５】  従来の逆流防止装置（５２）に比較して、本発明の逆流防止装置（１２）の発明の効果を説明する。
（イ）  ゴミ袋は破れない。
従来の逆流防止装置（５２）では、固定した逆流防止装置を回転筒の中に挿入し、回転筒内面の螺旋状羽根を回転すると、逆流防止装置と螺旋状羽根の隙間に、ゴミ袋を押入れ干渉するので、ゴミ袋を破砕することになる。したがって、回転筒の中にゴミ袋を投入すると、ゴミ袋が破れ、騒音が生じ、臭気が発生するので、環境衛生上が問題になっている。これに対して本発明の逆流防止装置（１２）は、回転筒と逆流防止装置を合体させて、ひとつの回転体にするので、軋轢や干渉の現象はなく、ゴミ袋が破れたり騒音になったりすることはない。
とくに、回転筒の中にゴミ袋が破れて排出されるときは、臭気が発酵し酷く発生する。
しかし、本発明によって、ゴミ袋を破砕することは無くなるので、臭気を少なくすることができる。
（ロ）逆流しても溢れない。
従来の逆流防止装置（５２）では、回転筒（５３）の後部へゴミ袋は貯留され蓄積されると、逆にゴミ袋は逆流防止装置（５２）の後部へ押し出され逆流される。
逆流防止装置（５２）下部の大きい隙間からゴミ袋が溢れ出るので、逆流防止装置（５２）の内部に堆積する。ゴミ袋が堆積し始めると、投入する効率が悪くなる。
これに対して本発明の逆流防止装置（１２）は、ゴミ袋の量が貯留され増大されると、後部にゴミ袋が満量になる。そうなると逆に前方へ押し出されてゴミ袋が逆流になり、防止壁（６）に到達する。
ゴミ袋が防止壁（６）によって塞き止められると、逆流防止装置（１２）の中へ侵入しようとするが、複数の螺旋状羽根（７）の後面によって後方へ押出されるので、逆流防止装置（１２）の下部からはゴミ袋は侵入できない。すなわち、逆流防止の効果は大きい。
（ハ）満量まで検知できる。
従来の逆流防止装置（５２）の内部にゴミ袋が堆積し始めると、投入する効率が悪くなるので、投入作業を停止する。しかし、回転筒（５３）の容量は未だ満量にまで到っていない。回転筒（５３）の満量まで検知できることが難しいのが実態である。
これに対して本発明の逆流防止装置（１２）は、回転筒（１）の前部へゴミ袋の量が満量になり、防止壁（６）の上部まで到達すると、截頭円錐筒（２）の後部から前部へゴミ袋が這い上がって、複数の前部切欠穴（８）から截頭円錐筒（２）の内部へ落下するので、回転筒（１）の満量が到ることを検知することができる。すなわち、満量検知の経済的な効果は大きい。
【発明を実施するための最良の形態】
【０００６】  以下、本発明の実施の形態について、実施例の回転筒ゴミ貯留機（１１）の構造を説明する。図２は本発明の回転筒ゴミ貯留機（１１）の右側面図を示す。
横置き円筒状の回転筒（１）の前内部に逆流防止装置（１２）を固定している。
逆流防止装置（１２）の後方へ、右回転の回転筒（１）の内面に左巻きの螺旋状羽根（５）を設ける。回転筒（１）の前部に接した前固定台（１３）に投入口（１４）及び投入口蓋（１５）を設ける。
回転筒（１）の後部に排出口（１６）を設け、排出口（１６）に接した排出口蓋（１７）を設け、後固定台（１８）に排出口蓋（１７）を回転自在に枢着させる。
回転筒（１）と前固定台（１３）及び後固定台（１８）の間に前密封装置（１９）を設ける。前固定台（１３）及び後固定台（１８）を基礎台（２０）の上に固定する。
回転軸方向に直角に２個ずつ並置した前軸受台（２１）及び後軸受台（２２）を基礎台（２０）の上に固定し、回転筒（１）の上に前リング（２３）および後リング（２４）を設け、各々前軸受台（２１）及び後軸受台（２２）を支持し回転する。
回転筒（１）の外周に大スプロケット（２５）を設け、駆動用モータ（２６）に取付けた小スプロケット（２７）とチェーン（２８）を連結する。さらに、後リング（２４）を基礎台（２０）の上に固定し、回転筒（１）が前後方向に一定になるように構成している。したがって、回転筒（１）と前固定台（１３）及び後固定台（１８）の間は一定の隙間を保持しているので、前密封装置（１９）の隙間を伸縮して脱着できるようにしている。【０００７】  回転筒ゴミ貯留機（１１）について使用方法を説明する。
まず駆動用モータ（２６）によって、小スプロケット（２７）、大スプロケット（２５）及びチェーン（２８）を介して、回転筒（１）を右回転に駆動する。前固定台（１３）に固定された前密封装置（１９）は、回転する回転筒（１）に接触しながら摺動する。
投入口蓋（１５）を開き、投入口（１４）から前固定台（１３）の中へゴミを投入し、前密封装置（１９）を通過して回転筒（１）へゴミを入れる。
回転筒（１）の前内部の逆流防止装置（１２）にゴミを潜って還流し、後方へ押出され、ついで左巻きの螺旋状羽根（５）を右回転にして、ゴミを後方へ移送する。回転筒（１）後部の排出口（１６）に排出口蓋（１７）を回転しながら閉鎖するので、回転筒（１）後部にゴミを溜め貯留する。排出口蓋（１７）は後固定台（１８）に取付けられ、回転する回転筒（１）に接触しながら摺動する。
ゴミを排出する場合は、同じように駆動用モータ（２６）によって始動し、回転筒（１）を同じ回転へ駆動する。閉鎖された排出口蓋（１７）と回転筒（１）の間にゴミを溜めて満量になっているので、排出口蓋（１７）を開くと、ゴミを排出口（１６）より排出する。【０００８】  逆流防止装置（１２）の構造について説明する。
図５は本発明の逆流防止装置（１２）の右側面断面図（図３の断面矢視Ｃ−Ｃ）を示す。本発明の逆流防止装置（１２）の実施例では、３個の螺旋状羽根（７）および３個の前部切欠穴（８）を設けた例を示す。
横置き円筒状の回転筒（１）を右回転にし、回転筒（１）の中心に截頭円錐筒（２）を設ける。截頭円錐筒（２）の前部に円錐大径（３）、後部に円錐小径（４）を設け、円錐大径（３）と回転筒（１）の間に前円板（５）を設ける。
円錐大径（３）を開口にし、円錐小径（４）を防止壁（６）で閉鎖する。截頭円錐筒（２）の前後の長さと回転筒（１）の間に左巻きの３個の螺旋状羽根（７−１）、（７−２）、（７−３）を設ける。截頭円錐筒（２）の前部に３個の前部切欠穴（８−１）（８−２）（８−３）を設ける。
図３は本発明の逆流防止装置（１２）の前面図（図２の断面矢視Ａ−Ａ）を示す。図４は本発明の逆流防止装置（１２）の背面図（図２の断面矢視Ｂ−Ｂ）を示す。
截頭円錐筒（２）と回転筒（１）の間に、始点の狭い巾から終点の広い巾へ、左巻きの螺旋状羽根（７）を設ける。
図３の前円板（５）の始点ａ（角度０°）から、図４の防止壁（６）の終点ａ′（２２０°）までの間に螺旋状羽根（７−１）を設ける。同様に始点ｂ（２４０°）から終点ｂ′（１００°）までの間に螺旋状羽根（７−２）を，始点ｃ（１２０°）から終点ｃ′（３４０°）までの間に螺旋状羽根（７−３）を設ける。
截頭円錐筒（２）の円錐大径に沿って、始点ａ（０°）から始点ｂ（２４０°）の間に前部切欠穴（８−１）を設け，始点ｂ（２４０°）から始点ｃ（１２０°）の間に前部切欠穴（８−２）を設け，始点ｃ（１２０°）から始点ａ（０°）の間に前部切欠穴（８−３）を設ける。【０００９】  逆流防止装置（１２）の使用方法について説明する。
図６は本発明の逆流防止装置（１２）の右側面矢視（図３の矢視Ｄ−Ｄ）で、回転筒（１）を剥離した状態図を示す。
図３〜６に対して、白矢印はゴミ袋の▲１▼〜▲２▼〜▲３▼〜▲４▼の軌跡を示す。黒矢印は回転筒（１）の右回転を示す。
ゴミ袋を、前部切欠穴ｂ（８−２）から、螺旋状羽根ｃ（７−３）から螺旋状羽根ｂ（７−２）の間に回転筒（１）の底面へ落とす（白矢印▲１▼）。
回転筒（１）を右回転にすると、ゴミ袋は回転筒（１）の底面の左から中央へ転がって、しだいに螺旋状羽根ｃ（７−３）の後面に沿って（白矢印▲２▼〜▲３▼）、回転筒（１）の底面にて後方へ移動して、螺旋状羽根ｃ（７−３）の終点ｃ′（３４０°）に到って、防止壁（６）の末端から後方へ離れる（白矢印▲４▼）。
ゴミ袋は逆流防止装置（１２）から離れると、回転筒（１）の後部へ、ゴミ袋の量が貯留されて増大する。
後部にゴミ袋が満量になると、逆に前方へ押し出されて逆流になり、防止壁（６）に到達する。ゴミ袋が防止壁（６）によって塞き止められると、逆流防止装置（１２）の中へ侵入しようとするが、複数の螺旋状羽根（７）の後面によって後方へ押出されので、逆流防止装置（１２）の下部からはゴミ袋は侵入できない。
回転筒（１）の前部へゴミ袋の量が満量になり、防止壁（６）の上部まで到達すると、截頭円錐筒（２）の後部から前部へゴミ袋が這い上がって、複数の前部切欠穴（８）から截頭円錐筒（２）の内部へ落下するので、満量を検知することができる。
【図面の簡単な説明】
【００１０】
【図１】従来の回転筒ゴミ貯留機（５１）の右側面図を示す。
【図２】本発明の回転筒ゴミ貯留機（１１）の右側面図を示す。
【図３】本発明の逆流防止装置（１２）の前面図（図２の断面矢視Ａ−Ａ）を示す。
【図４】本発明の逆流防止装置（１２）の背面図（図２の断面矢視Ｂ−Ｂ）を示す。
【図５】本発明の逆流防止装置（１２）の右側面断面図（図３の断面矢視Ｃ−Ｃ）を示す。
【図６】本発明の逆流防止装置（１２）の右側面矢視（図３の矢視Ｄ−Ｄ）で、回転筒（１）を剥離した状態図を示す。
【符号の説明】
【００１１】  １    回転筒
２    截頭円錐筒
３    円錐大径
４    円錐小径
５    前円板
６    防止壁
７    螺旋状羽根
８    前部切欠穴
【図１】
2006103964.tif 000003
【図２】
2006103964.tif 000004
【図３】
2006103964.tif 000005
【図４】
2006103964.tif 000006
【図５】
2006103964.tif 000007
【図６】
2006103964.tif 000008